(57)【要約】【課題】  裏面にＶ字状の折曲溝を有する木質系化粧材の折り曲げ接合面に、スキマや段差の生じない木質の扉パネルを提供すること。【解決手段】  裏面にＶ字状の折曲溝を有する化粧材３を、芯材２の表面側及び裏面側から芯材２の側端面２ａまで芯材２の角部に対応する部分で折り曲げる。化粧材３の各側端面が芯材２の側端面において相互に対向するようそれぞれ貼着し、その対向部分に所定幅寸法の溝５を形成して同溝５に目地部材６を装着させる。【選択図】図１
2005336783.tif 000002
【特許請求の範囲】
【請求項１】
裏面にＶ字状の折曲溝を有する化粧材を、芯材の表面側及び裏面側から芯材の側端面まで芯材の角部に対応する部分で折り曲げ、同化粧材の各側端面が芯材の側端面において相互に対向するようそれぞれ貼着し、その対向部分に所定幅寸法の溝を形成して同溝に目地部材を装着させて成る扉パネル。
【請求項２】
前記化粧材は、芯材の表面側と裏面側とが異なる柄としたものであることを特徴とする請求項１に記載の扉パネル。
【発明の詳細な説明】
【技術分野】
【０００１】
本発明は、芯材の表面に沿って化粧材を貼着して構成される扉パネルに関する。
【背景技術】
【０００２】
従来より、例えば住宅等の開口部に用いられる扉は、厚めで重量感があることが高級感を感じさせるための重要な要素の一つとなっている。しかし、取り付け等、実用面からは軽量であることが必要である。また、一般に長尺状の扉パネルにおいては、湾曲等を生じさせないような高い強度を有していることが要求されている。
【０００３】
上記目的に対応する技術として、実開平７−２３１８８号公報に開示されている、図５に示すような、木質系板の少なくとも片方の表面に化粧展貼物が貼着され、片方の表面にのみ化粧展貼物が貼着されている場合には、該化粧展貼物が貼着された表面と反対の表面に、或は、両方の表面に化粧展貼物が貼着されている場合には、どちらか片方の表面に設けられた切り欠き部によって木質系板の端部が折り返され、更に、折り返された木質系板端部の内側面に設けられた溝と、折り返された木質系板端部と接する木質系板の表面に設けられた溝とは、溝の開口部が少なくとも一部分において重なり合って相対面しており、しかも、これら溝部によって生じた空洞部に補強用部材１０１が嵌挿されている化粧板からなる扉１００がある。
【０００４】
この扉１００は、化粧板が木質系板の端部が折り返されて形成されているために厚くなっているので、見た目に重量感はあるが、見た目よりは軽量である。化粧板は、折り返された木質系板にとって補強され、しかも、折り返された木質系板端部の内側面と折り返された木質系板端部が接する木質系板の表面が補強用部材１０１によって接合されているために、より強度が高くなっており、特に、長尺物でも湾曲が生じ難いことが想定される。
【０００５】
しかしながら、この構成による場合、切り欠き部によって木質系板の端部を折り返すようになっているので、切り欠き部を形成させる加工精度のバラツキによって、折り返しや、重なり合って相対面する接合部分にスキマや段差が生じたり、あるいは、木質系板の基材表面に貼着されている木目模様などのプリント印刷を施した塩化ビニルシート等の化粧シートが浮き上がったりすることが懸念される。
【特許文献１】実開平７−２３１８８号公報
【発明の開示】
【発明が解決しようとする課題】
【０００６】
本願発明は、上記背景技術に鑑みてなされたものであり、その課題は、裏面にＶ字状の折曲溝を有する木質系化粧材の折り曲げ接合面に、スキマや段差の生じない木質の扉パネルを提供することである。
【課題を解決するための手段】
【０００７】
上記課題を解決するために、本願発明による扉パネルは、裏面にＶ字状の折曲溝を有する化粧材を、芯材の表面側及び裏面側から芯材の側端面まで芯材の角部に対応する部分で折り曲げ、同化粧材の各側端面が芯材の側端面において相互に対向するようそれぞれ貼着し、その対向部分に所定幅寸法の溝を形成して同溝に目地部材を装着させている。
【０００８】
そして、前記化粧材は、芯材の表面側と裏面側とが異なる柄とすることが好ましい。
【発明の効果】
【０００９】
本願発明の扉パネルは、化粧材が、芯材の表面側及び裏面側から芯材の側端面まで貼着されるにあたり、その裏面で芯材の角部に対応するＶ字状折曲溝部分において折り曲げられて、その各側端面が芯材の側端面において相互に対向させられその対向部分に形成された所定幅寸法の溝に目地部材が装着されて構成されるので、加工精度のバラツキが当該溝により吸収されることとなり、接合面にスキマや段差の生じない扉パネルが得られる。
【００１０】
そして、芯材の表面側と裏面側とに、異なる柄とした化粧材がそれぞれ帖着されるので、異なる雰囲気の部屋間の開口部に扉パネルが適切に設置されるという効果を奏する。
【発明を実施するための最良の形態】
【００１１】
本発明の上記および他の効果、特徴および利点を明確にすべく、添付した図面を参照しながら、本発明の実施の形態を以下に詳述する。
【００１２】
図１を参照すると、本発明の一実施形態としての扉パネルの概略構成を示す側面図が示されている。図２および図３は、図１の扉パネルの全体及び構成を示す斜視図である。
【００１３】
この実施形態の扉パネル１は、裏面にＶ字状の折曲溝４を有する化粧材３を、芯材２の表面側及び裏面側から芯材２の側端面まで芯材２の角部に対応する部分で折り曲げ、同化粧材３の各側端面が芯材２の側端面において相互に対向するようそれぞれ貼着し、その対向部分に所定幅寸法の溝５を形成して同溝５に目地部材６を装着させて成る。
【００１４】
この場合、前記化粧材３は、芯材２の表面側と裏面側とが異なる柄とさせてもいる。
【００１５】
詳しくは、この扉パネル１は、図３に示すように、芯材２となる側部芯材２１の表面及び側端面に亙るように表面化粧材３１を貼着すると共に側部芯材２１の裏面及び側端面に亙るように裏面化粧材３２を貼着して形成されている。すなわち、この場合、芯材２は上下方向に長い左右の側部芯材２１、２１と、左右の側部芯材２１、２１間を連結する上下２本の横芯材２２、２２と、側部芯材２１と横芯材２２とに囲まれた内側部分に配設した複数種類で複数本の内側芯材２３とで構成されている。なお、この側部芯材２１、横芯材２２及び内側芯材２３はベニア合板等で形成されている。また、内側の開口部分には、適宜、透光性樹脂パネル材料などにて形成される化粧ガラスや、木質系材による化粧ボートなどが装着されて、家具や住宅等の開口部に設置される。
【００１６】
表面化粧材３１及び裏面化粧材３２は、合板、パーティクルボード、ハードボード等の木質系材よりなる基材の外面に、塩化ビニルシートのようなもので木目模様等のプリント印刷された化粧シートを被着して形成されている。この表面化粧材３１と裏面化粧材３２とは、表面化粧材３１を木目柄等を設けた高価な化粧材とし、裏面化粧材３２を紙等の裏面シートを被覆した安価な材料とて異なる柄とし、図３に示すように、所定の外形をもった縦片ａ及び横片ｂにて構成し、縦片ａとなる表面化粧材３１及び裏面化粧材３２の裏面にＶ字状の折曲溝４が設けられている（図４（ａ）参照）。
【００１７】
目地部材６は、例えば合成樹脂のような成形品で形成される四角状の条材であって、凹状溝となる所定幅寸法の溝５に埋設可能な幅及び高さ寸法を有している。この場合、溝５は、まず表面化粧材３１及び裏面化粧材３２の各側端面３３、３３が、側部芯材２１の側端面２ａにおいて相互に僅かに隙間ｄを有して対向するようそれぞれ貼着され、次いで、所定の径をもったルーターにより当該隙間ｄに沿って所定幅寸法に切削され形成される。この目地部材６は、溝５に埋設することにより取り付けられて表面化粧材３１と裏面化粧材３２との間が外観よく仕舞われる（図４（ｂ）、（ｃ）参照）。
【００１８】
上記構成の扉パネル１においては、表面化粧材３１及び裏面化粧材３２は、上記構成による芯材２の外面に沿わせて貼られるのであるが、上述の如く。側部芯材２１の角部に沿わせて貼る部分では断面Ｖ字状の折曲溝４が予め切削形成されている。この折曲溝４を形成した表面化粧材３１及び裏面化粧材３２の内面側には接着剤が塗布され、横芯材２２から側部芯材２１の外面に沿わせて貼り、プレス等で貼着されるが、表面化粧材３１及び裏面化粧材３２は、横芯材２２、側部芯材２１の表面及び裏面それぞれから、芯材２の側端面の一部まで亙るようにそれぞれ貼着され、側部芯材２１の側端面との間の角部において折曲溝４にて折曲されて、表面化粧材３１及び裏面化粧材３２の各側端面３３、３３が芯材２の側端面２ａにおいて、同図（ｂ）に示すように、相互に僅かに隙間ｄを有して対向するようそれぞれ貼着される。
【００１９】
以上説明したように、扉パネル１は図４（ａ）〜（ｄ）の手順を経て製造されるが、横芯材２２から側部芯材２１に表面化粧材３１及び裏面化粧材３２を貼ったとき、表面化粧材３１及び裏面化粧材３２の側端手前がホットメルト系の仮止め剤にて仮止めされて上記接着剤が硬化するまでの間仮保持される。このように形成した扉パネル１では表面化粧材３１及び裏面化粧材３２を芯材２の側端面まで貼着する構造になっているので、養生時に従来のように扉パネル１は化粧材３が収縮しようとする力折り曲げ接合面にスキマの生ずることがない。
【００２０】
また、扉パネル１は、異なる雰囲気の部屋間の開口部に設置されるものとしては、芯材２の表面側と裏面側とを異なる柄とした化粧材３をそれぞれ帖着させて形成されるのである。
【００２１】
したがって、以上説明した扉パネル１によると、化粧材３が、芯材２の表面側及び裏面側から芯材２の側端面２ａまで貼着されるにあたり、その裏面で芯材２の角部に対応するＶ字状折曲溝部分において折り曲げられて、その各側端面が芯材２の側端面２ａにおいて相互に対向させられその対向部分に形成された所定幅寸法の溝５に目地部材６が装着されて構成されるので、加工精度のバラツキが当該溝により吸収されることとなり、接合面にスキマや段差の生じない扉パネルが得られる。
【００２２】
そして、芯材２の表面側と裏面側とに、異なる柄とした化粧材３がそれぞれ帖着されるので、異なる雰囲気の部屋間の開口部に扉パネル１が適切に設置されるという効果を奏する。
【００２３】
なお、本発明は上記各実施例に限定されず、本発明の技術思想の範囲内において、各実施例は適宜変更され得ることは明らかである。
【図面の簡単な説明】
【００２４】
【図１】本願発明の一実施形態である扉パネルの概略構成を示す説明図。
【図２】同扉パネルの外観を示す斜視図。
【図３】同扉パネルの製造手順の概要を示す斜視図。
【図４】同扉パネルの製造手順の詳細を示す説明図。
【図５】従来例の扉パネル全体を示す斜視図。
【符号の説明】
【００２５】
１      扉パネル
２      芯材
２ａ      側端面
３      化粧材
４      折曲溝
５      溝
６      目地部材
【図１】
2005336783.tif 000003
【図２】
2005336783.tif 000004
【図３】
2005336783.tif 000005
【図４】
2005336783.tif 000006
【図５】
2005336783.tif 000007